(57)【要約】【課題】マルチキャリア、マルチスタンダードに対応した基地局装置の評価を行う装置において、キャリア間相互の影響等を容易に把握できるようにする。【解決手段】受信記憶部２１は、評価対象の基地局装置１が異なるキャリア周波数で同時に出力する信号を一括受信し、その波形データを記憶する。解析部２５の解析結果一覧表示手段２９は、予め設定された各キャリアのフレームのスロットについての測定結果の一覧を表示部４０に表示させ、相関測定結果表示手段３０は、異なるキャリア周波数のスロットについての測定結果のうち、同一測定タイミングに所定以上の変化が現れる測定結果を互いに相関する測定結果として選択し、それらの測定結果を対比可能に表示部４０に表示させる。【選択図】図１
2011211508.tif 000002
【特許請求の範囲】
【請求項１】
評価対象の基地局装置が通信に用いる複数の異なるキャリア周波数を含む信号を受け、該信号をローカル信号とミキシングして、前記複数の異なるキャリア周波数をカバーする帯域の中間周波帯に変換する広帯域受信部（２２）、該広帯域受信部から出力される信号をサンプリングしてデジタルの波形データに変換するＡ／Ｄ変換器（２３）および前記Ａ／Ｄ変換器が変換した波形データを記憶する波形データメモリ（２４）を有し、前記基地局装置が一定時間に出力した信号の波形データを取得する受信記憶部（２１）と、
表示部（４０）と、
前記受信記憶部に記憶された波形データを解析し、前記各キャリア周波数のフレーム内の所望タイムスロットに挿入されている信号を検出し、該スロットに対して予め設定された変調方式と測定項目に基づく測定および良否の判定を行い、その測定結果および判定結果を前記表示部に表示させる解析部（２５）と、
前記解析部に対し、各キャリア周波数およびキャリア周波数毎のフレーム内の各スロットについての変調方式情報および測定項目情報を含む情報を設定させる設定部（３５）とを備えた基地局評価装置であって、
前記解析部は、
異なるキャリア周波数のスロットについての測定結果のうち、同一測定タイミングに所定以上の変化が現れる測定結果を互いに相関する測定結果として選択し、該測定結果を対比可能に前記表示部に表示させる相関測定結果表示手段（３０）を有していることを特徴とする基地局評価装置。
【請求項２】
前記解析部は、
各キャリア周波数についての測定結果のうち、良否判定の基準となるしきい値を超える測定結果を含むスロットがあるか否かを一覧でき、且つ前記しきい値を超える測定結果を含むスロットのついての指定操作が可能なように前記表示部に表示する解析結果一覧表示手段（２９）を有し、
前記相関測定結果表示手段は、前記解析結果一覧表示手段によって前記しきい値を超える測定結果を含むスロットに対する指定操作があったとき、該スロットの測定結果が前記しきい値を超えているタイミングと同一測定タイミングに所定以上の変化が現れる測定結果を選択し、該選択した測定結果と前記指定されたスロットについての測定結果とを対比可能に前記表示部に表示させることを特徴とする請求項１記載の基地局評価装置。
【請求項３】
評価対象の基地局装置が通信に用いる複数の異なるキャリア周波数を含む信号を受け、該信号をローカル信号とミキシングして、前記複数の異なるキャリア周波数をカバーする帯域の中間周波帯に変換する広帯域受信部（２２）、該広帯域受信部から出力される信号をサンプリングしてデジタルの波形データに変換するＡ／Ｄ変換器（２３）および前記Ａ／Ｄ変換器が変換した波形データを記憶する波形データメモリ（２４）を有し、前記基地局装置が一定時間に出力した信号の波形データを取得する受信記憶部（２１）と、
表示部（４０）と、
前記受信記憶部に記憶された波形データを解析し、前記各キャリア周波数のフレーム内の所望タイムスロットに挿入されている信号を検出し、該スロットに対して予め設定された変調方式と測定項目に基づく測定および良否の判定を行い、その測定結果および判定結果を前記表示部に表示させる解析部（２５）と、
前記解析部に対し、各キャリア周波数およびキャリア周波数毎のフレーム内の各スロットについての変調方式情報および測定項目情報を含む情報を設定させる設定部（３５）とを備えた基地局評価装置の前記解析部における信号解析方法であって、
異なるキャリア周波数のスロットについての測定結果のうち、同一測定タイミングに所定以上の変化が現れる測定結果を互いに相関する測定結果として選択する段階（Ｓ４４）と、
前記選択した測定結果を対比可能に前記表示部に表示させる段階（Ｓ４５）とを含むことを特徴とする基地局評価装置の信号解析方法。
【請求項４】
各キャリア周波数についての測定結果のうち、良否判定の基準となるしきい値を超える測定結果を含むスロットがあるか否かを一覧でき、且つ前記しきい値を超える測定結果を含むスロットのついての指定操作が可能なように前記表示部に表示する段階（Ｓ４２）を含み、
前記しきい値を超える測定結果を含むスロットに対する指定操作があったときに、該スロットの測定結果と、該スロットの測定結果が前記しきい値を超えているタイミングと同一測定タイミングに所定以上の変化が現れる測定結果とを選択することを特徴とする請求項３記載の基地局評価装置の信号解析方法。
【発明の詳細な説明】
【技術分野】
【０００１】
本発明は、携帯電話等の移動体通信システムの基地局装置から出力された信号を解析してその評価を行う技術に関し、特に複数の異なる周波数帯域で同時に通信を行うマルチキャリア方式と複数の異なる通信規格に対応したマルチスタンダード方式に対応した基地局装置の評価を効率的に行えるようにするための技術に関する。
【背景技術】
【０００２】
携帯電話等の移動体通信システムでは、基地局と端末との間で通信を行うための周波数帯（キャリア周波数）に複数のユーザの信号を時分割多重化して通信を行うが、ユーザ数が多くなると１つのキャリア周波数で多重化しきれなくなる。このため、１つの通信業者が複数のキャリア周波数を使用して、利用可能なユーザ数を増やしてきている。
【０００３】
これに対応して、その基地局も複数のキャリア周波数を用いて同時に通信を行う所謂マルチキャリアと呼ばれる方式が採用されている。
【０００４】
また、端末の変調方式の移行等に伴い、一つの通信業者で異なる通信規格（例えばＧＳＭとＷ−ＣＤＭＡ）の通信を行うことも要求されてきており、これに対応するための基地局は複数の異なる通信規格の信号を用いて同時に通信を行う所謂マルチスタンダードと呼ばれる方式が採用されており、近年ではマルチキャリア、マルチスタンダードに対応した基地局装置が必要とされている。
【０００５】
そのため同一周波数バンドで複数のシステムを運用する場合の無線規格が、３ＧＰＰＴＳ３７．１０４で、Ｍｕｌｔｉ−Ｓｔａｎｄａｒｄ  Ｒａｄｉｏ（ＭＳＲ）Ｂａｓｅ  Ｓｔａｔｉｏｎ（ＢＳ）として定義された。その周波数バンドについては図１６に示す通りである。
【０００６】
図１６において、マルチスタンダードの例を挙げれば、基地局の出力（Ｄｏｗｎｌｉｎｋ）で定義されている周波数帯のうち、例えば８６９〜８９４ＭＨｚ、９２５〜９６０ＭＨｚの周波数帯では、ＭＳＲ  ａｎｄ  Ｅ−ＵＴＲＡ（ＬＴＥ）と、ＵＴＲＡ（Ｗ−ＣＤＭＡ）と、ＧＳＭ／ＥＤＧＥの３つの異なるシステムが使用される。
【０００７】
したがって、これら８６９〜８９４ＭＨｚ、９２５〜９６０ＭＨｚの周波数帯内のキャリア周波数を通信に用いる基地局装置を評価するためには、各キャリア周波数の信号に対して、異なるシステムにそれぞれ応じた測定が必要となるが、従来の移動体通信機器に対する評価装置は、例えば次の特許文献１に記載されているように、１つのキャリア周波数（シングルキャリア）の信号を選択的に受信して評価に必要な処理を行うものであったので、マルチキャリアの測定を行う場合には、一つのキャリア周波数についての評価に必要な一連の試験を行ってから次のキャリア周波数に移行して同様の試験を行うという処理を繰り返す必要があり、手間と時間がかかるという問題があった。
【０００８】
また、その測定原理から、複数のキャリア周波数を同時に用いる場合の帯域間相互の影響を把握することができないという問題があった。
【先行技術文献】
【特許文献】
【０００９】
【特許文献１】特開２００７−１９７４１号公報
【発明の概要】
【発明が解決しようとする課題】
【００１０】
上記問題を解決するための技術として、測定対象となる複数のキャリア周波数の信号成分をヘテロダイン方式の広帯域な受信部により一括に受信して中間周波数帯に変換し、その中間周波数帯の信号の波形データを一定時間取り込んで記憶し、その記憶した波形データから個々のキャリア周波数の信号成分を抽出して解析処理を行う方式が考えられる。
【００１１】
ところが、実際に上記方式の評価装置を構成するにあたり、測定対象の複数のキャリア周波数や、その周波数についてそれぞれ測定条件を任意に設定できるようにした場合、キャリア間相互の影響等を容易に把握できる技術が必要となる。
【００１２】
本発明は、この問題を解決し、マルチキャリア、マルチスタンダードに対応した基地局装置の評価を行う装置において、キャリア間相互の影響等を容易に把握できる基地局評価装置およびその信号解析方法を提供することを目的としている。
【課題を解決するための手段】
【００１３】
前記目的を達成するために、本発明の請求項１の基地局評価装置は、
評価対象の基地局装置が通信に用いる複数の異なるキャリア周波数を含む信号を受け、該信号をローカル信号とミキシングして、前記複数の異なるキャリア周波数をカバーする帯域の中間周波帯に変換する広帯域受信部（２２）、該広帯域受信部から出力される信号をサンプリングしてデジタルの波形データに変換するＡ／Ｄ変換器（２３）および前記Ａ／Ｄ変換器が変換した波形データを記憶する波形データメモリ（２４）を有し、前記基地局装置が一定時間に出力した信号の波形データを取得する受信記憶部（２１）と、
表示部（４０）と、
前記受信記憶部に記憶された波形データを解析し、前記各キャリア周波数のフレーム内の所望タイムスロットに挿入されている信号を検出し、該スロットに対して予め設定された変調方式と測定項目に基づく測定および良否の判定を行い、その測定結果および判定結果を前記表示部に表示させる解析部（２５）と、
前記解析部に対し、各キャリア周波数およびキャリア周波数毎のフレーム内の各スロットについての変調方式情報および測定項目情報を含む情報を設定させる設定部（３５）とを備えた基地局評価装置であって、
前記解析部は、
異なるキャリア周波数のスロットについての測定結果のうち、同一測定タイミングに所定以上の変化が現れる測定結果を互いに相関する測定結果として選択し、該測定結果を対比可能に前記表示部に表示させる相関測定結果表示手段（３０）を有していることを特徴とする。
【００１４】
また、本発明の請求項２の基地局評価装置は、請求項１記載の基地局評価装置において、
前記解析部は、
各キャリア周波数についての測定結果のうち、良否判定の基準となるしきい値を超える測定結果を含むスロットがあるか否かを一覧でき、且つ前記しきい値を超える測定結果を含むスロットのついての指定操作が可能なように前記表示部に表示する解析結果一覧表示手段（２９）を有し、
前記相関測定結果表示手段は、前記解析結果一覧表示手段によって前記しきい値を超える測定結果を含むスロットに対する指定操作があったとき、該スロットの測定結果が前記しきい値を超えているタイミングと同一測定タイミングに所定以上の変化が現れる測定結果を選択し、該選択した測定結果と前記指定されたスロットについての測定結果とを対比可能に前記表示部に表示させることを特徴とする。
【００１５】
また、本発明の請求項３の基地局評価装置の信号解析方法は、
評価対象の基地局装置が通信に用いる複数の異なるキャリア周波数を含む信号を受け、該信号をローカル信号とミキシングして、前記複数の異なるキャリア周波数をカバーする帯域の中間周波帯に変換する広帯域受信部（２２）、該広帯域受信部から出力される信号をサンプリングしてデジタルの波形データに変換するＡ／Ｄ変換器（２３）および前記Ａ／Ｄ変換器が変換した波形データを記憶する波形データメモリ（２４）を有し、前記基地局装置が一定時間に出力した信号の波形データを取得する受信記憶部（２１）と、
表示部（４０）と、
前記受信記憶部に記憶された波形データを解析し、前記各キャリア周波数のフレーム内の所望タイムスロットに挿入されている信号を検出し、該スロットに対して予め設定された変調方式と測定項目に基づく測定および良否の判定を行い、その測定結果および判定結果を前記表示部に表示させる解析部（２５）と、
前記解析部に対し、各キャリア周波数およびキャリア周波数毎のフレーム内の各スロットについての変調方式情報および測定項目情報を含む情報を設定させる設定部（３５）とを備えた基地局評価装置の前記解析部における信号解析方法であって、
異なるキャリア周波数のスロットについての測定結果のうち、同一測定タイミングに所定以上の変化が現れる測定結果を互いに相関する測定結果として選択する段階（Ｓ４４）と、
前記選択した測定結果を対比可能に前記表示部に表示させる段階（Ｓ４５）とを含むことを特徴とする。
【００１６】
また、本発明の請求項４の基地局評価装置の信号解析方法は、請求項３記載の基地局評価装置の信号解析方法において、
各キャリア周波数についての測定結果のうち、良否判定の基準となるしきい値を超える測定結果を含むスロットがあるか否かを一覧でき、且つ前記しきい値を超える測定結果を含むスロットのついての指定操作が可能なように前記表示部に表示する段階（Ｓ４２）を含み、
前記しきい値を超える測定結果を含むスロットに対する指定操作があったときに、該スロットの測定結果と、該スロットの測定結果が前記しきい値を超えているタイミングと同一測定タイミングに所定以上の変化が現れる測定結果とを選択することを特徴とする。
【発明の効果】
【００１７】
このように、本発明では、マルチキャリア方式の基地局装置が異なるキャリア周波数で同時に出力する信号を一括受信していることを利用して、異なるキャリア周波数のスロットについての測定結果のうち、同一測定タイミングに所定以上の変化が現れる測定結果を互いに相関する測定結果として選択し、それらの測定結果を対比可能に表示部に表示させているので、あるキャリア周波数のスロット内の信号変化の影響が、他のキャリア周波数の測定結果に現れるか否かを容易に把握することができ、１キャリアずつ受信していく方式では得られないマルチキャリア方式特有の貴重な評価を行うことができる。
【図面の簡単な説明】
【００１８】
【図１】本発明の実施形態の構成図
【図２】実施形態の要部の動作を説明するための図
【図３】実施形態の要部の構成を示す図
【図４】実施形態のキャリア間フレーム位相情報の具体例を示す図
【図５】実施形態のキャリア間フレーム位相情報の具体例を示す図
【図６】実施形態の解析結果の表示例を示す図
【図７】実施形態の相関する測定結果の表示例を示す図
【図８】実施形態の要部の動作を説明するためのフローチャート
【図９】実施形態の要部の動作を説明するための図
【図１０】実施形態の要部の動作を説明するための図
【図１１】実施形態の要部の動作を説明するためのフローチャート
【図１２】実施形態の要部の動作を説明するための図
【図１３】実施形態の要部の動作を説明するためのフローチャート
【図１４】実施形態の要部の動作を説明するためのフローチャート
【図１５】実施形態の要部の動作を説明するためのフローチャート
【図１６】基地局装置が使用する周波数帯と通信に用いるシステムとの関係を表す図
【発明を実施するための形態】
【００１９】
以下、図面に基づいて本発明の実施の形態を説明する。
図１は、本発明を適用した基地局評価装置２０の構成を示している。
【００２０】
図１において、受信記憶部２１は、広帯域受信部２２、Ａ／Ｄ変換器２３および波形データメモリ２４によって構成されている。
【００２１】
広帯域受信部２２は、マルチキャリア、マルチスタンダードに対応した評価対象の基地局装置１が通信に用いる複数の異なるキャリア周波数を含む広い受信帯域（例えば、前記したように８６９〜８９４ＭＨｚ、９２５〜９６０ＭＨｚの周波数帯域）を有し、その受信帯域の信号のうち、後述する設定部３５によって指定された複数のキャリア周波数の信号成分を一括に受信する。
【００２２】
広帯域受信部２２は、ミキサ２２ａ、ローカル信号発生器２２ｂおよび中間周波フィルタ２２ｃを含み、入力信号ＳＩＮとローカル信号発生器２２ｂから出力されたローカル信号ＳＬＯＣとをミキサ２２ａに与えて混合し、その和と差の成分の一方（ここでは差の成分とする）を中間周波フィルタ２２ｃによって抽出するヘテロダイン方式のものであり、中間周波フィルタ２２ｃの帯域は、測定対象に指定される可能性のあるキャリア周波数の信号成分の全てを通過させるのに必要な幅Ｗを有している。
【００２３】
例えば９２５〜９６０ＭＨｚの受信帯域全体が測定対象に指定される可能性のある場合には、少なくとも９６０−９２５＝３５ＭＨｚの幅が必要となる。
【００２４】
また、ローカル信号ＳＬＯＣの周波数ｆＬＯＣは、中間周波フィルタ２２ｃの通過中心周波数をｆＩＦとすれば、設定部３５によって実際に測定対象として指定されたキャリア周波数の信号成分の全てがｆＩＦ±Ｗ／２の中間周波帯内にヘテロダイン変換される値であればよく、前記した９２５〜９６０ＭＨｚの受信帯域全体の信号成分を中間周波帯に一括変換できるように、｜（９２５＋９６０）／２−ｆＬＯＣ｜＝ｆＩＦとしておけば、固定のローカル周波数ｆＬＯＣで、受信帯域内のいずれのキャリア周波数が指定された場合も対応できる。数値例を上げれば、ｆＩＦ＝２００ＭＨｚ、ｆＬＯＣ＝７４２．５ＭＨｚ（または１１４２．５ＭＨｚ）となる。
【００２５】
しかし、測定対象のキャリア周波数（チャンネル）は測定者が任意に指定する項目であり、その指定キャリアが受信帯域の一端側にのみ集中している場合、その信号成分を周波数変換した場合、中間周波フィルタ２２ｃの通過帯域のエッジに集中することになり、これはフィルタのエッジの特性（振幅や位相の変動）の影響を受けやすく、望ましくない。
【００２６】
これを防ぐために測定者が自ら指定したキャリア周波数に基づいて、ローカル周波数を設定することも可能ではあるが、前記したキャリア周波数だけでなく、スロットの指定、測定項目の指定操作等のほかに、ローカル周波数の設定操作が加わるとその作業が非常に煩雑化する。
【００２７】
このため、この基地局評価装置２０では、ローカル信号発生器２２ｂが出力するローカル信号の周波数ｆＬＯＣ（つまり受信周波数）を受信周波数制御手段５０によって自動設定している。
【００２８】
この受信周波数制御手段５０は、設定部３５によって設定された各キャリア周波数および測定項目情報に基づいて、測定に必要最小限の周波数範囲ｆ１〜ｆ２を求め、その周波数範囲の中心周波数（ｆ１＋ｆ２）／２が中間周波数帯の通過中心周波数ｆＩＦに変換されるようにローカル信号の周波数ｆＬＯＣを設定する。
【００２９】
つまり、理解しやすいように、入力信号周波数よりローカル周波数が低い下側ヘテロダインとすれば、測定者によって任意に指定されるキャリア周波数の上限と下限および測定項目に応じて下限周波数ｆ１と上限周波数ｆ２に対し、
ｆＬＯＣ＝（ｆ１＋ｆ２）／２−ｆＩＦ
が成り立つローカル周波数を求めて、その周波数情報をローカル信号発生器２２ｂに設定して、周波数ｆＬＯＣのローカル信号を発生させる。上側ヘテロダインの場合には、
ｆＬＯＣ＝（ｆ１＋ｆ２）／２＋ｆＩＦ
が成り立つローカル周波数を求めて設定する。
【００３０】
なお、下限周波数ｆ１、上限周波数ｆ２は、下限や上限のキャリア周波数について隣接チャンネル漏洩の測定項目が指定されている場合も考慮して決定する。
【００３１】
これによって、例えば図２の（ａ）のように、測定対象のキャリア周波数ｆｃ１〜ｆｃｎが受信帯域全体の低域側に偏って存在する場合でも、図２の（ｂ）のように、中間周波帯のセンター近傍に集まって出力されることになり、フィルタのエッジの振幅特性や位相特性の暴れ等の影響を受けにくい。なお、図２は下側ヘテロダインの場合を示すが、上側ヘテロダインの場合、中間周波帯に変換される各信号成分の並びが図２の場合に対して反転する。
【００３２】
中間周波数帯に変換された信号ＳＩＦは、Ａ／Ｄ変換器２３により所定周波数（中間周波数帯の上限周波数の２倍以上）でサンプリングされてデジタルの信号列Ｄ（ｋ）に変換され、波形データメモリ２４に一定時間分記憶される。
【００３３】
解析部２５は、信号抽出手段２６、同期手段２７、解析手段２８、解析結果一覧表示手段２９および相関測定結果表示手段３０を有しており、受信記憶部２１の波形データメモリ２４に記憶された波形データを解析し、各キャリア周波数の信号成分をベースバンド帯にそれぞれ変換して抽出し、その抽出したベースバンド成分に対して、シンボル同期処理、フレーム同期処理等を行い、その同期処理されてシンボル位置とフレーム位置が確定した信号に対して、所望タイムスロットに挿入されている信号を検出し、そのスロットに対して予め設定された変調方式と測定項目に基づいて信号復調と測定および判定を行い、その結果を表示部４０に表示させる。
【００３４】
信号抽出手段２６は、受信記憶部２１に記憶された波形データを読み出し、その読み出した波形データに対して、複数のキャリア周波数の信号成分にそれぞれ対応する周波数のローカル信号による周波数変換処理を行い、複数のキャリア周波数の各信号成分をそれぞれベースバンド帯に変換する。なお、この周波数変換処理は２つの直交ベースバンド成分を得るために直交検波処理を用いて行うが、後述するように、受信記憶部２１において予め直交成分を検出する場合、信号抽出手段２６は単純な単相型の周波数変換器で構成することができる。
【００３５】
この信号抽出手段２６は、例えば図３に示すように、２組のミキサ（乗算器）２６ａ、２６ｂ、ローカル信号発生器２６ｃ、９０度移相器２６ｄ、ベースバンドフィルタ２６ｅ、２６ｆ、ベースバンド信号メモリ２６ｇおよびローカル周波数切替手段２６ｈにより構成され、ローカル信号発生器２６ｃと９０度移相器２６ｄによって生成される周波数ｆＬＬで直交位相のローカル信号Ｌ０、Ｌ９０をミキサ２６ａ、２６ｂに与え、そのミキサ出力からベースバンドフィルタ２６ｅ、２６ｆにより周波数ｆＬＬを中心周波数とする信号成分をベースバンド帯（例えば０〜６ＭＨｚ）の信号Ｉｉ、Ｑｉに変換し、これをベースバンド信号メモリ２６ｇに記憶する。
【００３６】
また、ローカル周波数制御手段２６ｈは、後述する設定部３５により指定された測定対象の各キャリア周波数、受信記憶部２１のローカル信号ＳＬＯＣの周波数に基づいて、ローカル信号発生器２６ｃが出力すべきローカル信号Ｌ０の周波数ｆＬＬを順次変更させる（なお、信号抽出手段２６が扱う信号はデジタルのデータ列であるから、ミキサ２６ａ、２６ｂ、ローカル信号発生器２６ｃ、９０度移相器２６ｄ、ベースバンドフィルタ２６ｅ、２６ｆ等の各構成要素は、その機能と等価な演算処理によって実現される）。
【００３７】
信号抽出手段２６によってベースバンド帯に変換したキャリア毎のベースバンド成分Ｉｉ、Ｑｉは同期手段２７によって変調方式情報およびシンボルレート（ビットレートでもよい）情報に応じた周期でサンプリングされ、シンボル同期処理がなされる。シンボル同期処理は、基地局装置１側のシンボルクロックと本装置側のシンボルクロックとを同期させるための処理であり、評価対象の基地局装置から送出された１キャリアについてのサンプリングされた信号成分Ｉｉｓ、Ｑｉｓによって決まるＩＱ直交座標上の位置（シンボル位置）が、その変調方式によって決まる基準位置となるように移相処理を行う。
【００３８】
例えば、変調方式がＱＰＳＫで所定のシンボルレートの場合、ＩＱ直交座標上の（１，１）、（１，−１）、（−１，−１）、（−１，１）の位置がシンボル位置の基準となり、同期がとれていれば各ベースバンドの信号成分Ｉｉｓ、Ｑｉｓによって決まるシンボル位置は、これら４つの基準位置の間を前記所定のシンボルレートに応じた時間間隔で遷移することになる（厳密にはノイズ等の影響で基準位置からバラツク）。
【００３９】
したがって、例えば第１キャリアについて得られたベースバンドの信号成分Ｉ１、Ｑ１を前記所定ビットレートに対応した間隔でサンプリングし、そのサンプリングされた信号成分Ｉ１ｓ、Ｑ１ｓによって決まるシンボル位置と基準位置との誤差を求め、その誤差が最小となるように、ベースバンドの信号成分Ｉ１、Ｑ１に対するサンプリングタイミングを決定すること（シンボルクロック再生）で、シンボル同期が完了する。この処理により、各シンボル位置に対応したシンボルデータを正しく取得でき、上記変調方式ＱＰＳＫの場合であれば、４つの基準位置にそれぞれ対応する２ビットのシンボルデータ（００）、（０１）、（１０）、（１１）への変換がなされる。
【００４０】
なお、実際には、信号抽出処理でベースバンド成分を取得する際のサンプリングタイミングは、そのベースバンド成分のシンボルタイミングに同期しているとは限らないので、信号に対する補間処理を行い、その補間処理で得られた信号に対するサンプリングを行い、誤差が小さい最良のサンプリングタイミングを決定する。
【００４１】
そして、このシンボル同期処理は、基地局装置１側で共通のクロックを用いてシンボルデータを生成していていることを考慮し、第１キャリアについて得られたシンボル同期処理に必要な同期情報（サンプリングタイミング情報）を各キャリアについて共通の同期情報とし、その共通の同期情報と各キャリアについての変調方式情報およびシンボルレート情報とに基づいて、他のキャリアについての信号成分に対するシンボル同期処理を行う。
【００４２】
つまり、例えば第２キャリアの変調方式がＱＰＳＫで第１キャリアの１／４のシンボルレートの場合には、第２キャリアについて得られたベースバンドの信号成分Ｉ２、Ｑ２のうち、第１キャリアのシンボル同期されて最終的にサンプリングされた信号成分Ｉ１ｓ、Ｑ１ｓと同一タイミングの信号成分Ｉ２ｓ、Ｑ２ｓに注目し、その４組に１組の割合で時系列にサンプリングし、前記同様に基準位置との誤差を求める。ここで４組から１組を抽出するので４通りの信号列が得られるが、それらの中から誤差が最も少ない信号列を求め、その信号列から第２キャリアについてのシンボルデータを取得する。
【００４３】
また、例えば第３キャリアの変調方式が、ＩＱ平面上に１６個の基準シンボル位置を有する１６ＱＡＭ方式で、第１キャリアの例えば２倍のシンボルレートの場合、変調方式で４倍、シンボルレートで２倍であるから第１キャリアに対して８倍のサンプリング速度となる。
【００４４】
この場合、第３キャリアについて得られたベースバンドの信号成分Ｉ３、Ｑ３のうち、第１キャリアのシンボル同期されて最終的にサンプリングされた信号成分Ｉ１ｓ、Ｑ１ｓと同一タイミングの信号成分Ｉ３ｓ、Ｑ３ｓおよびそのサンプリング間隔を８等分する７つタイミングにおける信号成分Ｉ３ｓ′、Ｑ３ｓ′からなる信号列をサンプリングして、その信号列から第３キャリアについての４ビット単位のシンボルデータを取得する。
【００４５】
このように、一つのキャリアについてのシンボル同期処理で得られた同期情報を、他のキャリアについてのシンボル同期処理に共通に用いているために、極めて短時間に各キャリアについてのシンボル同期処理を行うことができる。
【００４６】
なお、上記処理で得られたシンボルデータは、例えば所定ビット幅（１ビット幅または複数ビット幅のいずれでもよい）のデータ信号列としてフレーム同期処理される。
【００４７】
フレーム同期処理は、シンボル同期処理で得られたデータ信号列に対してフレーム同期処理を行い、フレームの位置（先頭位置）および各スロットの位置を確定する。
このフレーム同期処理とはデータ信号列から、各フレームの先頭位置に挿入されている所定のパイロットパターンを見つけることによって行い、その先頭位置が特定されれば、その既知のフレーム構造から各スロットの位置も特定できる。
【００４８】
このフレーム同期処理も、シンボル同期処理と同様に、１キャリアについて得られたデータ信号列に対するフレーム同期処理で得られたフレーム同期情報（先頭位置のタイミング情報）を共通の同期情報とし、他のデータ信号列に対するフレーム同期処理を、この共通の同期情報と、評価対象の基地局装置１が並行して出力するキャリア間のフレーム位置のズレを特定するためのキャリア間フレーム位相情報（評価装置側で既知であるものとする）とに基づいて行う。
【００４９】
キャリア間フレーム位相情報は、例えば図４の（ａ）のように、ある測定基準タイミングＴ０における各キャリアそれぞれのフレーム番号Ｎｆ１〜Ｎｆｎとシンボル番号Ｎｓ１〜Ｎｓｎであって、図４の（ｂ）のような情報となる。また、例えば図５の（ａ）のように、ある測定基準タイミングＴ０からの各キャリアの先頭フレームまでの時間をそれぞれシンボル数Ｃｓ１〜Ｃｓｎで表した図５の（ｂ）のような情報でもよい。
【００５０】
このようなキャリア間フレーム位相情報が既知であれば、１キャリアについてのフレーム同期処理でその先頭位置が特定できれば、他のキャリアについてのフレームの先頭位置を簡単に検出できる。また、前記したように各キャリアについての信号成分は、共通のクロックソースからなるシンボルクロックのデータ信号列を有しているので、上記のようにフレームのずれをシンボル単位で表すことが可能で、タイミングの特定が容易である。
【００５１】
なお、キャリア間のフレーム位置が同一の場合も上記情報で対応できる。即ち、その場合、図４の情報では各キャリアそれぞれのフレーム番号とシンボル番号が同一となり、図５の情報では各キャリアの先頭フレームまでの時間を表すシンボル数が等しくなる。
【００５２】
このようにして、各キャリアについてのフレーム位置とスロット位置が特定されて、その情報がデータ信号列とともに解析手段２８に送られる。
【００５３】
解析手段２８は、各キャリアについてのフレーム内の所望タイムスロットに挿入されている信号を検出し、そのスロットに対して予め設定された変調方式と測定項目に基づいて測定を行い、その測定結果に対する良否判定を行う。
【００５４】
解析結果一覧表示手段２９は、解析手段２８で得られた各キャリア周波数についての測定結果のうち、良否判定の基準となるしきい値を超える測定結果を含むスロットがあるか否かを一覧でき、且つそのしきい値を超える測定結果を含むスロットのついての操作部４５による指定操作が可能なように表示部４０に表示する。
【００５５】
図６は、その表示例を示すものであり、測定対象のキャリア周波数について、測定項目として、変調誤差比（ＥＶＭ）、電力（Ｐｏｗｅｒ）等があり、その測定項目についての最大値（ＭＡＸ）、最小値（ＭＩＮ）、平均値（ＡＶＥ）が数値表示され、判定結果が表示される。
【００５６】
図６の測定項目ＥＶＭについての判定結果覧で、「ＦＡＩＬ  Ｆｒａｍｅ５，Ｓｌｏｔ４」は、良否判定のための基準となるしきい値を超える不良が、５フレーム目の４番目のスロットにあることを示すものであり、ここで最小値ＭＩＮが良否判定のしきい値を超える場合で、その欄が不良であることを示す表示（図ではハッチングで示しているが、色や濃度等で識別表示してもよい）がなされている。なお、「ＦＡＩＬ」にはマウスカーソル等の操作部４５で指定可能な文字列であることを示す下線表示（色の違い等でもよい）がなされている。
【００５７】
また、図６の測定項目Ｐｏｗｅｒについての判定結果覧で、「ＯＫ」はこのキャリア周波数の指定されたどのスロットについても信号電力が許容範囲内に入っていることを表している。
【００５８】
相関測定結果表示手段３０は、解析結果一覧表示手段２９によってしきい値を超える測定結果を含むスロットに対する指定操作、即ち上記例で「ＦＡＩＬ」に対するマウスカーソルのよる選択操作があったとき、そのスロットの測定結果がしきい値を超えているタイミングと同一測定タイミングに所定以上（上記しきい値と同一である必要はなく、ノイズによる変動成分より大きい値であればよい）変化が現れる測定結果を選択し、指定されたスロットの測定結果と選択した測定結果とを対比可能に表示部４０に表示させる。
【００５９】
図７は、その表示例を示すものであり、例えば２番目のキャリア周波数ｆｃ２のあるスロット中である測定タイミングｔ１（実際にはｔ１±Δｔの期間）に、電力が良否判定の基準となるしきい値Ｐｒを超えていて、その測定結果に関する「ＦＡＩＬ」を指定操作したときに、それに隣接する１番目と３番目のキャリア周波数ｆｃ１、ｆｃ３のタイミングｔ１と同一測定タイミング（ｔ１を中心とする期間）に、変調誤差比（ＥＶＭ）が悪化している。
【００６０】
これら３つの測定結果は、横軸の時間軸を揃えて縦に並べて対比可能に表示しているから、この表示から、キャリア周波数ｆｃ２の信号電力の急増により、それに隣接するキャリアの変調誤差が増加したと判断することができ、あるキャリア周波数の不良の影響が別のキャリア周波数の測定結果にどのような影響を与えるかを容易に把握できる。
【００６１】
設定部３５は、操作部４５の操作にしたがい且つ表示部４０に設定に必要な情報を表示させつつ、解析部２５に対し、各キャリア周波数のフレーム内の各スロットについての変調方式情報、測定項目情報等を設定させるためのものである。
【００６２】
ここで指定する情報は、キャリア周波数、そのキャリア周波数の信号成分のフレームおよびスロット、ＧＭＳＫ、８ＰＳＫ等の変調方式、シンボルレート（ビットレート）と、Ｐｏｗｅｒ、Ｍｏｄｕｌａｔｉｏｎ（変調誤差）、ＯＲＦＳ（隣接チャンネル漏洩）等の測定項目であり、指定したキャリア周波数の信号成分の所望のフレームの所望スロットに対して、指定した変調方式に基づく復調処理を行わせて、その結果に対して指定した項目の測定を行わせる。また、前記したシンボル同期処理やフレーム同期処理を効率的に行うために必要な情報である。
【００６３】
受信周波数制御手段５０は、設定部３５によって指定されたキャリア周波数ｆｃ１、ｆｃ２、……、変調方式（占有帯域幅を特定する）および隣接チャンネル漏洩の有無により、広帯域受信部２２の受信周波数を決定する。
【００６４】
図８は、受信周波数制御手段５０の処理手順を示すフローチャートである。以下、このフローチャートに基づいて実施形態の受信周波数制御処理を説明する。
【００６５】
始めに、設定部３５によって測定対象に指定されたキャリア周波数（チャンネル）の中で、最高周波数のものの測定項目に隣接チャンネル漏洩（ＯＲＦＳまたはＡＣＬＲ）の項目があるか否かを調べる（Ｓ１）。
【００６６】
隣接チャンネル漏洩の項目がある場合には、図９の（ａ）のように、キャリア周波数の最高周波数の測定に必要な上限周波数ｆ２′に、隣接チャンネル漏洩の測定に必要な周波数幅Ｗａと所定のマージンαを加えて上限周波数ｆ２を決定する（Ｓ２）。また、隣接チャンネル漏洩の項目がない場合には、図９の（ｂ）のように、キャリア周波数の最高周波数のものについての測定に必要な上限周波数ｆ２′に所定のマージンβを加えて上限周波数ｆ２とする（Ｓ３）。
【００６７】
次に設定部３５によって測定対象に指定されたキャリア周波数（チャンネル）の中で、最低周波数のものの測定項目に隣接チャンネル漏洩（ＡＣＬＲまたはＯＲＦＳ）の項目があるか否かを調べる（Ｓ４）。
【００６８】
そして、隣接チャンネル漏洩の項目がある場合には、図１０の（ａ）のように、キャリア周波数の最低周波数の測定に必要な下限周波数ｆ１′から、隣接チャンネル漏洩の測定に必要な周波数幅Ｗａと所定のマージンαを加えたものを差し引いて下限周波数ｆ１を決定する（Ｓ５）。また、隣接チャンネル漏洩の項目がない場合には、図１０の（ｂ）のように、キャリア周波数の最低周波数の測定に必要な下限周波数ｆ１′から、所定のマージンβを差し引いて下限周波数ｆ１とする（Ｓ６）。
【００６９】
そして、その下限周波数ｆ１と上限周波数ｆ２の中心値ｆｍ＝（ｆ１＋ｆ２）／２を求め（Ｓ７）、その中心値ｆｍが中間周波帯の通過中心周波数ｆＩＦに変換されるためのローカル周波数ｆＬＯＣを、ｆＬＯＣ＝ｆｍ−ｆＩＦ（またはｆＬＯＣ＝ｆｍ＋ｆＩＦ）によって求め、その周波数情報をローカル信号発生器２２ｂに設定する（Ｓ８）。
【００７０】
上記処理によって波形データメモリ２４には、測定対象に指定されたキャリア周波数の信号成分を含む信号が中間周波数帯に変換され、その信号の一定時間分の波形データが波形データメモリ２４に記憶される。
【００７１】
この波形データメモリ２４に記憶された波形データは、所定タイミングに解析部２５の信号抽出処理を受ける。
【００７２】
即ち、測定対象のキャリア信号の周波数をｆｃ１〜ｆｃｎとし、受信記憶部２１において下側ヘテロダインを用いているとすれば、各キャリア周波数ｆｃ１〜ｆｃｎは、中間周波数帯の中の周波数（ｆｃ１−ｆＬＯＣ）〜（ｆｃｎ−ｆＬＯＣ）に変換されることになる。
【００７３】
したがって、信号抽出手段２６による信号抽出処理では、図１１に示すように、キャリアを指定する変数ｉを１に初期化し（Ｓ１１）、ローカル信号Ｌ０、Ｌ９０の周波数ｆＬＬを（ｆｃｉ−ｆＬＯＣ）にセットして（Ｓ１２）、波形データメモリ２４に記憶された波形データに対する直交検波処理を行う。
【００７４】
これによって、図１２の（ａ）のように、中間周波数帯の周波数（ｆｃｉ−ｆＬＯＣ）を中心とする信号成分は、図１２の（ｂ）、（ｃ）のように、周波数０を中心とするベースバンド成分Ｉｉ、Ｑｉに変換され、その直交ベースバンド成分Ｉｉ、Ｑｉが対応する変数ｉに対応するアドレスに記憶される（Ｓ１３）。
【００７５】
そして、上記Ｓ１２、Ｓ１３の処理を測定対象のキャリア周波数について繰り返し（Ｓ１４、Ｓ１５）、各キャリアについてのベースバンド成分（Ｉ１、Ｑ１）〜（Ｉｎ、Ｑｎ）を求める。
【００７６】
このようにして得られた各キャリアついてのベースバンドの信号成分は、同期手段２７によるシンボル同期処理を受ける。
【００７７】
図１３は、このシンボル同期処理の手順を示すフローチャートである。以下、その手順について説明する。
【００７８】
初めに、キャリア（チャンネル）指定する変数ｉを１に初期化し、第１のキャリアについてのベースバンド成分Ｉ１、Ｑ１に対して前述した通常のシンボル同期処理（シンボルクロック再生）を行い、そのベースバンド成分に対して最適なタイミングでサンプリングを行ってデータ信号列Ｄ１を生成する（Ｓ２１、Ｓ２２）。
【００７９】
次に、ｉを１増加して、次のキャリアについてのベースバンド成分Ｉ２、Ｑ２に対して、最初のシンボル同期処理で得られた最適なサンプリングタイミング（シンボルクロック位相）の情報を共通の同期情報として、それに変調方式、シンボルレート等の情報を用いて最適なサンプリングタイミングを求めて、ベースバンド成分Ｉ２、Ｑ２に対するサンプリングを行い、データ信号列Ｄ２を生成する（Ｓ２３、Ｓ２４）。
【００８０】
以下、処理Ｓ２３、Ｓ２４を繰り返し、全てのキャリアについてのシンボルクロック同期処理を行い、ぞれぞれのデータ信号列Ｄ１〜Ｄｎを生成する（Ｓ２５）。
【００８１】
なお、上記例は、評価対象の基地局装置１側で全てのキャリアについてのシンボルタイミングが同期している（シンボルクロック周期が整数倍の関係にある）場合のものであるが、通信規格が相違してシンボルタイミングの同期性がないチャンネルが含まれる場合には、通信規格毎に共通の同期情報を求めて、同一通信規格のものについてはその共通の同期情報を用いることで、シンボル同期処理を効率化できる。
【００８２】
次に、図１４に示すフレーム同期処理が行われる。
即ち、初めに、キャリア（チャンネル）指定する変数ｉを１に初期化し、第１のキャリアについてのデータ信号列Ｄ１に対して前述した通常のフレーム同期処理（パイロットパターンによる先頭検出）を行い、そのフレーム先頭位置を示す同期情報を求める（Ｓ３１、Ｓ３２）。
【００８３】
次に、ｉを１増加して、次のキャリアについてのデータ信号列Ｄ２のフレーム先頭位置を示す同期情報を、データ信号列Ｄ１の処理で得られた共通の同期情報と、前記したキャリア間フレーム位相情報とを用いて特定する（Ｓ３３、Ｓ３４）。
【００８４】
以下、処理Ｓ３３、Ｓ３４を繰り返し、全てのキャリアについてのフレーム同期処理を行い、各データ信号列Ｄ１〜Ｄｎについてのフレーム先頭位置を示す同期情報を生成する（Ｓ３５）。
【００８５】
なお、上記例は、評価対象の基地局装置１側で全てのキャリアについてのキャリア間フレーム位相情報が与えられている場合のものであるが、フレーム長が変動して位相が特定できないチャンネルが含まれる場合、そのチャンネルについては通常のフレーム同期処理をおこなうが、キャリア間フレーム位相が特定されているチャンネルについては、パイロットパターンの検出処理が不要となり、その分フレーム同期処理を効率化できる。
【００８６】
上記した同期処理によって得られた各キャリアについてのフレームデータに対して、図１５に示すように、予め設定された項目についての測定処理および判定処理が解析手段２８により行なわれ（Ｓ４１）、その解析結果の一覧が前記図６のように、解析結果一覧表示手段２９により、表示部４０に表示される（Ｓ４２）。
【００８７】
そして、しきい値を超える測定結果を含むスロットに対する指定操作があったとき（Ｓ４３）、そのスロットの測定結果がしきい値を超えているタイミングと同一測定タイミングに所定以上の変化が現れる測定結果を選択し（Ｓ４４）、その選択した測定結果と指定されたスロットについての測定結果とを対比可能に表示部４０に表示させる（Ｓ４５）。この表示から、あるキャリア周波数の不良の影響が、別のキャリア周波数の測定結果にどのような影響を与えるかを容易に把握できる。
【００８８】
上記実施形態では、受信記憶部２１において、測定に必要な上限周波数と下限周波数の中心が中間周波数帯の通過中心周波数に一致するように受信周波数を制御していたが、測定に必要な上限周波数から下限周波数の間が中間周波数帯に入っていれば、上記した各キャリアのベースバンド成分を抽出が可能である。
【００８９】
また、上記実施形態では、各キャリアの信号成分を直交ベースバンドに変換するために信号抽出手段２６において直交検波処理を用いていたが、受信記憶部２１において直交２相型の周波数変換処理を行い、受信信号を中間周波数帯の直交成分ＩＩＦ、ＱＩＦに変換し、波形データメモリ２４に記憶する構成も可能であり、その場合には、信号抽出手段２６では、その波形データメモリ２４に記憶された直交成分ＩＩＦ、ＱＩＦを読み出して、それぞれ単相型の周波数変換器（例えば図３の各ミキサ２６ａ、２６ｂの信号入力を独立させ、両ミキサ２６ａ、２６ｂに同相のローカル信号を与える構成）に与えて、その周波数変換器のローカル周波数を各キャリアに合わせて順次変更して、各キャリアの信号成分を、周波数０を中心とするベースバンド成分（Ｉ１、Ｑ１）〜（Ｉｎ、Ｑｎ）に順次変換すればよい。
【００９０】
また、前記実施形態の相関測定結果表示手段３０は、解析処理の良否判定でＮＧと判定されたスロットに関して相関する測定結果を選択、表示していたが、良品と判定された測定結果であってもその値がある値以上変化した場合には、それを選択操作できるように構成することも可能であり、また、良否判定の結果によらず、作業者が指定操作しないでも、相関のある測定結果（同一タイミングに測定値が所定以上変動する測定結果）を装置が自動的に選択して表示してもよい。
【符号の説明】
【００９１】
２０……基地局評価装置、２１……受信記憶部、２２……広帯域受信部、２２ａ……ミキサ、２２ｂ……ローカル信号発生器、２２ｃ……中間周波フィルタ、２３……Ａ／Ｄ変換器、２４……波形データメモリ、２５……解析部、２６……信号抽出手段、２７……同期手段、２８……解析手段、２９……解析結果一覧表示手段、３０……相関測定結果表示手段、３５……設定部、４０……表示部、４５……操作部、５０……受信周波数制御手段
【図１】
2011211508.tif 000003
【図２】
2011211508.tif 000004
【図３】
2011211508.tif 000005
【図４】
2011211508.tif 000006
【図５】
2011211508.tif 000007
【図６】
2011211508.tif 000008
【図７】
2011211508.tif 000009
【図８】
2011211508.tif 000010
【図９】
2011211508.tif 000011
【図１０】
2011211508.tif 000012
【図１１】
2011211508.tif 000013
【図１２】
2011211508.tif 000014
【図１３】
2011211508.tif 000015
【図１４】
2011211508.tif 000016
【図１５】
2011211508.tif 000017
【図１６】
2011211508.tif 000018